(57)【要約】      （修正有）【課題】壁又は天井に張り付けられている内装用素材を洗浄する際に、洗浄作業可能面積が広がりかつ洗浄効果も高まり、その結果効率的に洗浄作業をすることができる洗浄器を提供する。【解決手段】壁又は天井に張り付けられている内装用素材を洗浄するための洗浄器は、開口部を有する箱状部材１０と、開口部の縁部に沿うようにして箱状部材１０に取り付けられた刷毛状部材１１と、箱状部材の底部に配置され開口部を経由して洗浄処理液、濯ぎ処理液又は染み抜き処理液を外部に噴霧する処理液噴霧部材とを含む洗浄部１と、ロッド部と、ロッド部に接続された補強部材３１と、箱状部材１０に取り付けられる一方補強部材３１に対して回動可能に連結された回動部材３０とを含み、洗浄部１とロッド部２とを接続する接続部３と、洗浄処理液、濯ぎ処理液又は染み抜き処理液を処理液噴霧部材に供給する処理液供給手段とを備えている。【選択図】図１
0003130889.tif 000002
【実用新案登録請求の範囲】
【請求項１】
壁又は天井に張り付けられている内装用素材を洗浄するための洗浄器であって、
開口部を有する箱状部材と、開口部の縁部に沿うようにして上記箱状部材に取り付けられた刷毛状部材と、上記箱状部材の底部に配置され上記開口部を経由して洗浄処理液、濯ぎ処理液又は染み抜き処理液を外部に噴霧する処理液噴霧部材とを含む洗浄部と、
ロッド部と、
上記ロッド部に接続された補強部材と、上記箱状部材に取り付けられる一方上記補強部材に対して回動可能に連結された回動部材とを含み、上記洗浄部と上記ロッド部とを接続する接続部と、
洗浄処理液、濯ぎ処理液又は染み抜き処理液を上記処理液噴霧部材に供給する処理液供給手段とを備えたことを特徴とする洗浄器。
【請求項２】
上記箱状部材はじょうご状の形状を有することを特徴とする請求項１記載の洗浄器。
【請求項３】
上記ロッド部は、その長手方向に伸縮可能であることを特徴とする請求項１又は２記載の洗浄器。
【考案の詳細な説明】
【技術分野】
【０００１】
本考案は、壁又は天井に張り付けられている内装用素材を洗浄するための洗浄器に関するものである。
【背景技術】
【０００２】
一般に、壁、天井等は年月とともに次第に汚れてゆき、汚れが目立つようになったときに、洗浄される。このような洗浄を行う場合、例えば、洗浄処理液、染み抜き処理液等を壁又は天井に噴射して洗浄するといった対応がなされている。
【０００３】
しかしながら、このように洗浄処理液、染み抜き処理液等を壁又は天井に噴射する場合、これらの処理液が壁又は天井ではね返って広い範囲に飛散することがある。このため、これらの処理液が洗浄作業者の皮膚ないしは衣服に付着したり、周囲の備品や床を汚したりするなどといった問題がある。
【０００４】
かくして、本考案の出願人は、このような問題を解決すべく、洗浄処理液、濯ぎ処理液又は染み抜き処理液等が壁又は天井ではね返って飛散するのを防止することができる内装用素材の洗浄器を提案している（特許文献１参照）。
【０００５】
【特許文献１】特開２００４−８７３８号公報
【考案の開示】
【考案が解決しようとする課題】
【０００６】
しかしながら、特許文献１に記載された従来の洗浄器では、壁等を洗浄する際の作業可能面積が狭いため、作業位置を移動したり、ロッド部材の持つ位置や方向を変えたりする動作が頻繁に必要であるといった問題がある。さらに、ブラッシング部材とロッド部材の接続機構が複雑であり、洗浄器の製作コストが高くつくといった問題がある。
【０００７】
本考案は、上記従来の問題を解決するためになされたものであって、洗浄作業可能面積が広がることにより、無駄な動作が少なくなり、より効率的に洗浄作業をすることができる、簡素な構造の洗浄器を提供することを解決すべき課題とする。
【課題を解決するための手段】
【０００８】
上記課題を解決するためになされた本考案に係る洗浄器は、壁又は天井に張り付けられている内装用素材を洗浄するための洗浄器であって、開口部を有する箱状部材と、開口部の縁部に沿うようにして箱状部材に取り付けられた刷毛状部材と、箱状部材の底部に配置され開口部を経由して洗浄処理液、濯ぎ処理液又は染み抜き処理液を外部に噴霧する処理液噴霧部材とを含む洗浄部と、ロッド部と、ロッド部に接続された補強部材と、箱状部材に取り付けられる一方補強部材に対して回動可能に連結された回動部材とを含み、洗浄部とロッド部とを接続する接続部と、洗浄処理液、濯ぎ処理液又は染み抜き処理液を処理液噴霧部材に供給する処理液供給手段とを備えている。
【０００９】
本考案に係る洗浄器においては、箱状部材はじょうご状の形状を有するのが好ましい。また、ロッド部は、その長手方向に伸縮可能であるのがより好ましい。
【考案の効果】
【００１０】
本考案に係る洗浄器において、接続部が回転することにより、洗浄作業可能面積が広がり、枝の持ちかえ等の無駄な動作を少なくすることができるため、効率的に洗浄作業をすることができる。
【００１１】
本考案に係る洗浄器によれば、洗浄処理液等が噴霧されることにより、内装用素材表面に均等に洗浄処理液等がかかるため、洗浄効果が高まり、より一層効率的に洗浄作業をすることができる。また、洗浄部とロッド部の接続構造を大幅に簡素化することができる。
【考案を実施するための最良の形態】
【００１２】
以下、添付の図面を参照しつつ、本考案の実施の形態（本考案を実施するための最良の形態）を具体的に説明する。
（実施の形態）
図１乃至図４に示すように、本考案に係る洗浄器は、洗浄作業時に内装用素材に当接する洗浄部１と、作業者が直接把持するロッド部２と、洗浄部１とロッド部２を接続する接続部３とを備える。なお、以下では各部材の相互の位置関係を簡潔に表現するため、便宜上、洗浄器の長手方向にみて、洗浄部１側の部位を「前」といい、ロッド部２側の部位を「後」という。洗浄部１と接続部３とは一体化しており、接続部３の後端にロッド部２の前端を差し込んで使用する。
【００１３】
さらに、洗浄部１は、楕円ないしはフィールドトラック形の開口部を備えた、じょうご状の形状を有する箱状部材１０と、開口部の縁部に沿うようにして箱状部材１０に取り付けられ、内装用素材に当接する刷毛状部材１１と、箱状部材１０の内側後部（じょうごの底部）に取り付けられ、洗浄処理液、濯ぎ処理液又は染み抜き処理液を開口部側に向けて噴霧ないしは噴射する処理液噴霧部材１２とを備える。
【００１４】
ロッド部２は、前側筒状部材２ａと、後側筒状部材２ｂとを有している。前側筒状部材２ａは後側筒状部材２ｂ内に挿入され、ロッド部２は前後方向に伸縮自在となっている。ロッド部２は、らせん状に巻かれた第１の処理液供給チューブ２０を備えている。第１の処理液供給チューブ２０は、らせん状に巻かれているのでロッド部２の伸縮に伴って伸縮自在である。
【００１５】
接続部３は、ロッド部２の前端を差し込む補強部材３１と、箱状部材１０の後部に取り付けられ、補強部材３１に対して両矢印Ａで示す方向（両方向）に回転可能な回動部材３０と、ロッド部２と接続部３とが接続されたときには、第１の処理液供給チューブ２０に接続され、ロッド部２からの処理液が通る第２の処理液供給チューブ（図示せず）とを備える。洗浄作業時には、接続部３は洗浄部１が壁又は天井等に沿うように、回動部材３０を自在に回転させる。これにより、洗浄作業可能面積が広がる。例えば、内壁クロスを上から下に洗浄する場合、接続部３が回転するため、作業者は洗浄部１を上（天井の高さ）から作業者の胸部の高さ付近まで持ちかえずに動かすことができる。次に、作業者は洗浄部１が下にくるようにロッド部２を持ちかえ、作業者の胸部の高さ付近から下（床の高さ）まで動かすことができる。このように、たった１回の持ちかえで、内壁を上から下までブラッシングすることができる。
【００１６】
洗浄処理液、濯ぎ処理液又は染み抜き処理液は、ロッド部２の後端から供給され、第１の処理液供給チューブ２０、第２の処理液供給チューブ及び回動部材３０を通って、処理液噴霧部材１２から壁又は天井等に噴霧される。このとき、刷毛状部材１１は壁又は天井等に当接しているため、洗浄処理液、濯ぎ処理液又は染み抜き処理液は四方に飛散しない。さらに、洗浄処理液、濯ぎ処理液又は染み抜き処理液は、噴霧により内装用素材表面に均等にかかるため、洗浄効果が高まる。
【００１７】
以上、本考案の実施の形態によれば、接続部が回転するため、洗浄作業可能面積が広がり、洗浄作業効率が向上する。さらに、洗浄処理液等が噴霧されることにより、内装用素材表面に均等に洗浄処理液等がかかるため、洗浄効果が高まり、より一層洗浄作業効率が向上する。また、接続部３の構造を従来に比べて簡素化することができる。
【図面の簡単な説明】
【００１８】
【図１】本考案の実施の形態に係る洗浄器の洗浄部及び接続部の正面図である。
【図２】図１に示す洗浄器の洗浄部及び接続部の上面図である。
【図３】図１に示す洗浄器の洗浄部及び接続部の底面図である。
【図４】本考案の実施の形態に係る洗浄器のロッド部の断面図である。
【符号の説明】
【００１９】
１  洗浄部、
２  ロッド部、
３  接続部、
１０  箱状部材、
１１  刷毛状部材、
１２  処理液噴霧部材、
２０  第１の処理液供給チューブ、
３０  回動部材、
３１  補強部材。
【図１】
0003130889.tif 000003
【図２】
0003130889.tif 000004
【図３】
0003130889.tif 000005
【図４】
0003130889.tif 000006